(57)【要約】【課題】  部品点数の削減や生産性の向上や接続損失の低減を図ることが可能なフェルール及び光結合構造を提供する。【解決手段】  光ファイバ心線１５からの出射光が平行光化し且つ平行な入射光が光ファイバ心線１５に向けて集光する凸レンズ１４ａをフェルール先端部分１４に一体形成する。また、フェルール孔２０の最奥部２０ａ−１と光ファイバ心線１５の先端との間に間隙を生じさせるような形状に形成する。さらに、形成された間隙に充填剤を充填し、その間隙を導光路として機能させる。充填剤は光ファイバ心線１５を固定するための接着剤、又は透明ゲルとする。【選択図】    図１
2004177937.tif 000002
【特許請求の範囲】
【請求項１】
光ファイバ被覆を皮剥して光ファイバ心線を露出させた光ファイバの端末に取り付けられるフェルールであって、
フェルール先端部分に凸レンズの機能を持たせた
ことを特徴とするフェルール。
【請求項２】
光ファイバ被覆を皮剥して光ファイバ心線を露出させた光ファイバの端末に取り付けられるフェルールであって、
前記光ファイバ心線からの出射光が平行光化し且つ平行な入射光が前記光ファイバ心線に向けて集光する凸レンズをフェルール先端部分に一体形成した
ことを特徴とするフェルール。
【請求項３】
請求項２に記載のフェルールにおいて、
少なくとも前記フェルール先端部分を透明樹脂で成形した
ことを特徴とするフェルール。
【請求項４】
請求項２又は請求項３に記載のフェルールにおいて、
前記光ファイバ心線が挿入されるフェルール孔の最奥部と前記光ファイバ心線の先端との間に間隙が生じるように前記フェルール孔を形成し、且つ、前記間隙に該間隙が導光路として機能するための充填剤を充填した
ことを特徴とするフェルール。
【請求項５】
請求項４に記載のフェルールにおいて、
前記光ファイバ心線を固定するための接着剤を前記充填剤とした
ことを特徴とするフェルール。
【請求項６】
請求項５に記載のフェルールにおいて、
フェルール材料の屈折率よりも大きく且つ前記光ファイバ心線の開口角に相当する屈折率差を有するように前記接着剤の屈折率を選定した
ことを特徴とするフェルール。
【請求項７】
請求項４に記載のフェルールにおいて、
硬化性の透明ゲルを前記充填剤とした
ことを特徴とするフェルール。
【請求項８】
請求項７に記載のフェルールにおいて、
フェルール材料の屈折率よりも大きく且つ前記光ファイバ心線の開口角に相当する屈折率差を有するように前記透明ゲルの屈折率を選定した
ことを特徴とするフェルール。
【請求項９】
結合すべき一対の光ファイバの各端末に請求項１ないし請求項８いずれか記載のフェルールをそれぞれ取り付けるとともに、該フェルール同士を固定用の中空部を有する光結合部材を用いて対向配置した
ことを特徴とする光結合構造。
【発明の詳細な説明】
【技術分野】
【０００１】
本発明は、光ファイバの端末に取り付けられるフェルール、及びフェルールを対向配置してなる光結合構造に関する。
【背景技術】
【０００２】
自動車内の光通信が普及してきており、近年では通信容量の増大が図られている。このような状況下、近年の光通信において使用される光ファイバは、コア径が小さく伝送帯域が大きいものが使用され始めている。自動車においての光ファイバ同士の接続に関しては、振動や衝撃による影響から各光ファイバ心線の先端同士を接触させることができないという理由もあって、各光ファイバの端末にフェルールを設けた後に、その各フェルール間に一つ又は二つのレンズを介在させて光学的な結合を図るような光結合構造が提案されている（例えば特許文献１参照）。
【０００３】
図６において、上記光結合構造を簡単に説明すると、結合すべき一対の光ファイバ１ａ、１ｂの各端末には、フェルール２ａ、２ｂが取り付けられている。そして、これらフェルール２ａ、２ｂの各外周面には、フランジ３ａ、３ｂが嵌合、固定されている。円筒状のレンズホルダ４ａ、４ｂの各一端側の中空部には、レンズ５ａ、５ｂが保持されており、各他端側の中空部には、フェルール２ａ、２ｂの各一端部が挿入されている。
【０００４】
フェルール２ａ、２ｂの対向する端面の中心には、光ファイバ１ａ、１ｂの端面が配置されており、その光ファイバ１ａ、１ｂの光軸とレンズ５ａ、５ｂの光軸とが一致するように調整された後には、フランジ３ａ、３ｂの端面とレンズホルダ４ａ、４ｂの端面とが溶接等により接合、固定されている。また、レンズ５ａ、５ｂを保持した側の端面同士を突き合わせた状態で、レンズホルダ４ａ、４ｂの各外周面には、その各外周面に共通の円筒状スリーブ６が嵌合、固定されている。
【０００５】
上記構成において、二つのレンズ５ａ、５ｂがフェルール２ａ、２ｂの端面間に配置されており、軸ずれによる接続損失の低減が図られている。
【特許文献１】特開平８−２７１７５８号公報  （第２頁、第１図）
【発明の開示】
【発明が解決しようとする課題】
【０００６】
ところで、上記従来の光結合構造における光ファイバ１ａ、１ｂ同士の接続にあっては、部品点数が多いという問題点を有している。また、光ファイバ１ａ、１ｂ同士の接続を図るまでの工程が多く生産性が悪いという問題点を有している。生産性及び軸ずれによる接続損失に関しては、レンズ５ａ、５ｂがレンズホルダ４ａ、４ｂ及び円筒状スリーブ６によって調心され、フェルール２ａ、２ｂがフランジ３ａ、３ｂ及びレンズホルダ４ａ、４ｂによって調心される構造であることから、レンズ、レンズホルダ、フランジ、フェルールの全てに高い加工精度が要求されるという問題点も有している。
【０００７】
本発明は、上述した事情に鑑みてなされるもので、部品点数の削減や生産性の向上や接続損失の低減を図ることが可能なフェルール及び光結合構造を提供することを課題とする。
【課題を解決するための手段】
【０００８】
上記課題を解決するためなされた請求項１記載の本発明のフェルールは、光ファイバ被覆を皮剥して光ファイバ心線を露出させた光ファイバの端末に取り付けられるフェルールであって、フェルール先端部分に凸レンズの機能を持たせたことを特徴としている。本発明によれば、凸レンズの機能を持たせたフェルールになる。すなわち、レンズとフェルールとが一体になった構造であることから、レンズを保持する部材や、レンズ及びフェルールの調心（光軸を合わせ）をする部材等が不要になる。このようなフェルールを用いることにより、光ファイバ同士の接続を図るまでの工程が簡素化される。さらには、高い加工精度を要求する部分が削減される。フェルール先端部分に凸レンズの機能を持たせることにより、部品点数の削減や生産性の向上や接続損失の低減に寄与する。
【０００９】
請求項２記載の本発明のフェルールは、光ファイバ被覆を皮剥して光ファイバ心線を露出させた光ファイバの端末に取り付けられるフェルールであって、前記光ファイバ心線からの出射光が平行光化し且つ平行な入射光が前記光ファイバ心線に向けて集光する凸レンズをフェルール先端部分に一体形成したことを特徴としている。本発明によれば、出射光が平行光化し且つ平行な入射光が集光する凸レンズをフェルール先端部分に一体形成したフェルールになる。すなわち、レンズとフェルールとが一体になった構造であることから、レンズを保持する部材や、レンズ及びフェルールの調心（光軸を合わせ）をする部材等が不要になる。このようなフェルールを用いることにより、光ファイバ同士の接続を図るまでの工程が簡素化される。さらには、高い加工精度を要求する部分が削減される。フェルール先端部分に凸レンズを一体形成することにより、部品点数の削減や生産性の向上や接続損失の低減に寄与する。
【００１０】
請求項３記載の本発明のフェルールは、請求項２に記載のフェルールにおいて、少なくとも前記フェルール先端部分を透明樹脂で成形したことを特徴としている。本発明によれば、フェルール先端部分のみが透明樹脂、或いは全体が透明樹脂で成形されるフェルールになる。これにより、生産性やコストに応じてフェルールを形成することが可能になる。
【００１１】
請求項４記載の本発明のフェルールは、請求項２又は請求項３に記載のフェルールにおいて、前記光ファイバ心線が挿入されるフェルール孔の最奥部と前記光ファイバ心線の先端との間に間隙が生じるように前記フェルール孔を形成し、且つ、前記間隙に該間隙が導光路として機能するための充填剤を充填したことを特徴としている。本発明によれば、フェルールのフェルール孔に光ファイバ心線が挿入されると、そのフェルール孔の最奥部と光ファイバ心線の先端との間に間隙が生じるように、光ファイバ心線は加工され、フェルールが形成される。また、形成された間隙に光学的に透明な充填剤が充填される。これにより、間隙が導光路として機能し、接続損失の低減が図られる。また、光ファイバ加工精度及びフェルール加工精度によって生じる接続損失が、フェルール孔の最奥部が導光路にそっていることにより補償される。
【００１２】
請求項５記載の本発明のフェルールは、請求項４に記載のフェルールにおいて、前記光ファイバ心線を固定するための接着剤を前記充填剤としたことを特徴としている。本発明によれば、フェルール孔の最奥部と光ファイバ心線の先端との間に形成された間隙を導光路として機能させるための充填剤が接着剤であることから、フェルール孔に光ファイバ心線が挿入されるとその光ファイバ心線の固定が同時に完了する。これにより、生産性の向上が更に図られる。尚、接着剤としてはＵＶ硬化接着剤が挙げられる。
【００１３】
請求項６記載の本発明のフェルールは、請求項５に記載のフェルールにおいて、フェルール材料の屈折率よりも大きく且つ前記光ファイバ心線の開口角に相当する屈折率差を有するように前記接着剤の屈折率を選定したことを特徴としている。本発明によれば、接着剤の屈折率がフェルール材料の屈折率よりも大きく且つ光ファイバ心線の開口角に相当する屈折率差を有する。これにより、導光路としての機能が向上し接続損失の低減が更に図られる。
【００１４】
請求項７記載の本発明のフェルールは、請求項４に記載のフェルールにおいて、硬化性の透明ゲルを前記充填剤としたことを特徴としている。本発明によれば、フェルール孔の最奥部と光ファイバ心線の先端との間に形成された間隙を導光路として機能させるための充填剤が透明ゲルであることから、充填剤を固化させた場合の温度変化や充填剤硬化時に生じるクラックの発生や間隙の発生が防止される。また、液体を充填剤として用いると封止に難があるのに対して、硬化性の透明ゲルでは流動性を抑えることが可能になる。尚、透明ゲルとしてはシリコーン樹脂が挙げられる。
【００１５】
請求項８記載の本発明のフェルールは、請求項７に記載のフェルールにおいて、フェルール材料の屈折率よりも大きく且つ前記光ファイバ心線の開口角に相当する屈折率差を有するように前記透明ゲルの屈折率を選定したことを特徴としている。本発明によれば、透明ゲルの屈折率がフェルール材料の屈折率よりも大きく且つ光ファイバ心線の開口角に相当する屈折率差を有する。これにより、導光路としての機能が向上し接続損失の低減が更に図られる。
【００１６】
上記課題を解決するためなされた請求項９記載の本発明の光結合構造は、結合すべき一対の光ファイバの各端末に請求項１ないし請求項８いずれか記載のフェルールをそれぞれ取り付けるとともに、該フェルール同士を固定用の中空部を有する光結合部材を用いて対向配置したことを特徴としている。本発明によれば、光ファイバ同士の接続を図るまでの工程が次のように簡素化される。すなわち、結合すべき一対の光ファイバの各端末に請求項１ないし請求項８いずれか記載のフェルールがそれぞれ取り付けられる。そして、光ファイバを取り付けたこれらフェルール同士が光結合部材の中空部に対向するように配置固定される。フェルールには、レンズが一体に形成されていることから、部品点数が少なくなるのは勿論のこと、高い調心精度を必要とせず、生産性が容易になる。
【発明の効果】
【００１７】
請求項１に記載された本発明によれば、フェルール先端部分に凸レンズの機能を持たせたフェルールにすることにより、部品点数の削減や生産性の向上や接続損失の低減を図ることができるという効果を奏する。
【００１８】
請求項２に記載された本発明によれば、光ファイバ心線からの出射光が平行光化し且つ平行な入射光が光ファイバ心線に向けて集光する凸レンズをフェルール先端部分に一体形成したフェルールにすることにより、部品点数の削減や生産性の向上や接続損失の低減を図ることができるという効果を奏する。
【００１９】
請求項３に記載された本発明によれば、生産性やコストに応じて、フェルール先端部分のみを透明樹脂、或いはフェルール全体を透明樹脂で成形することができるという効果を奏する。
【００２０】
請求項４に記載された本発明によれば、フェルール孔の最奥部と光ファイバ心線の先端との間に間隙を生じさせることにより、高い加工精度を不要にして生産性の向上を図ることができるという効果を奏する。また、形成された間隙に充填剤を充填し、その間隙を導光路として機能させることにより、接続損失の低減を図ることができるという効果を奏する。
【００２１】
請求項５に記載された本発明によれば、充填剤を接着剤とすることにより、光ファイバ心線の固定を同時に完了させることができる。従って、生産性の向上を更に図ることができるという効果を奏する。
【００２２】
請求項６に記載された本発明によれば、接着剤の屈折率をフェルール材料の屈折率よりも大きく且つ光ファイバ心線の開口角に相当する屈折率差を有するように選定することにより、導光路としての機能を向上させることができる。従って、接続損失の低減を更に図ることができるという効果を奏する。
【００２３】
請求項７に記載された本発明によれば、充填剤を透明ゲルとすることにより、充填剤を固化させた場合の温度変化や充填剤硬化時に生じるクラックの発生や間隙の発生を防止することができる。また、液体を充填剤として用いると封止に難があるのに対して、硬化性の透明ゲルでは流動性を抑えることができる。従って、接続損失の低減をより一層図ることができるという効果を奏する。
【００２４】
請求項８に記載された本発明によれば、透明ゲルの屈折率をフェルール材料の屈折率よりも大きく且つ光ファイバ心線の開口角に相当する屈折率差を有するように選定することにより、導光路としての機能を向上させることができる。従って、接続損失の低減を更に図ることができるという効果を奏する。
【００２５】
請求項９に記載された本発明によれば、結合すべき一対の光ファイバの各端末に請求項１ないし請求項８いずれか記載のフェルールをそれぞれ取り付けるとともに、そのフェルール同士を固定用の中空部を有する光結合部材を用いて対向配置することにより、部品点数の削減や生産性の向上や接続損失の低減を図ることが可能な光結合構造を提供することができるという効果を奏する。
【発明を実施するための最良の形態】
【００２６】
以下、図面を参照しながら説明する。
図１は本発明のフェルールの一実施の形態を示す断面図である。また、図２はフェルールの外観斜視図、図３は本発明による光結合構造の一実施の形態を示す断面図である。
【００２７】
図１において、引用符号１１は光ファイバ１２の端末に取り付けられるフェルールを示している。そのフェルール１１は、本形態において、透明な合成樹脂材により全体が成形されており、略筒形状のフェルール本体部分１３と、略砲弾形状のフェルール先端部分１４とを有している。
【００２８】
ここで、透明な合成樹脂材としては、特に限定するものではないが、アクリル樹脂、脂環式オレフィン樹脂、脂環式アクリル樹脂等が挙げられる。これらの合成樹脂材は入手が容易な市販品であり、コスト低減に寄与するのは言うまでもない。
【００２９】
上記フェルール１１の説明の前に光ファイバ１２の構成について説明する。上記光ファイバ１２は、光ファイバ心線１５と光ファイバ被覆１６とを備えて構成されている。そして、このような光ファイバ１２は、その端末側において、光ファイバ被覆１６が所定の位置で皮剥されている。すなわち、光ファイバ１２の端末は、光ファイバ心線１５が所定の長さ分だけ露出するように加工されている。光ファイバ心線１５の先端（端面）は、平坦な面に形成されている。
【００３０】
光ファイバ心線１５は、コア及びそのコアよりも屈折率の小さいクラッドを有している。光ファイバ心線１５は、本形態において、特に限定するものではないが、例えば上記コアが透明なポリカーボネート（ＰＣ）から成形されている。また、上記クラッドは透明なポリメタクリル酸メチル（ＰＭＭＡ）から成形されている。尚、光ファイバ心線１５は、既知のガラス製の光ファイバ心線であってもよいものとする。
【００３１】
光ファイバ被覆１６は、合成樹脂製のいわゆるシースであって、光ファイバ心線１５を保護するために設けられている。光ファイバ被覆１６は、本形態において、光ファイバ心線１５の上に形成される一次シース１７と、その一次シース１７の上に形成される二次シース１８とを備えて構成されている。尚、一次シース１７が所定の長さ分だけ露出するように二次シース１８が皮剥されている。
【００３２】
図１及び図２において、上記フェルール１１のフェルール本体部分１３の一端には、フェルール先端部分１４が光軸を一致させた状態で連成されている。また、フェルール本体部分１３の外周面（側面）には、フランジ１９が形成されている。さらに、フェルール本体部分１３の内部には、フェルール孔２０が上記一端の反対側に位置する他端を開口させた状態で形成されている。
【００３３】
フランジ１９は、上記外周面の中間に形成されている。また、フランジ１９における上記一端側の突出先端には、適宜角度のテーパ１９ａが周設されている。フェルール孔２０は、その中心軸が光軸に一致するように形成されており、上記一端側から順に心線案内部２０ａ、一次シース案内部２０ｂ、二次シース案内部２０ｃを有している。フェルール孔２０には、後述する充填剤（不図示）が充填されるようになっている。
【００３４】
心線案内部２０ａは、光ファイバ心線１５が差し込まれる部分であって、光ファイバ心線１５と同径形状に形成されている。また、心線案内部２０ａは、その最奥部２０ａ−１と光ファイバ心線１５の先端との間に間隙が生じるように形成されている。心線案内部２０ａの最奥部２０ａ−１は、光の散乱を小さく抑えることができるような表面粗さに加工されている。尚、心線案内部２０ａは、本形態において、フェルール先端部分１４に跨るような位置にまでのびて形成されているが、この限りではないものとする。
【００３５】
一次シース案内部２０ｂは、一次シース１７が差し込まれる部分であって、一次シース１７と同径形状に形成されている。また、二次シース案内部２０ｃは、二次シース１８が差し込まれる部分であって、二次シース１８と同径形状に形成されている。心線案内部２０ａと一次シース案内部２０ｂとの間、及び一次シース案内部２０ｂと二次シース案内部２０ｃとの間には、径の違いからテーパ部２０ｄ及び２０ｅがそれぞれ形成されている。テーパ部２０ｄ及び２０ｅは、適宜角度に設定されている。このようなテーパ部２０ｄ及び２０ｅの形成によって光ファイバ１２の挿入がし易くなっている。
【００３６】
上記図示しない充填剤は、本形態において、紫外線照射装置からの紫外線照射によって硬化するＵＶ硬化接着剤が使用されている（光学的に透明であるものとする）。充填剤は、例えば心線案内部２０ａの最奥部２０ａ−１からテーパ部２０ｅまでの範囲に充填されており、フェルール孔２０に光ファイバ１２が差し込まれると、最奥部２０ａ−１と光ファイバ心線１５の先端との間の間隙をうめるようになっている。また、光ファイバ１２を接着固定するようになっている（光ファイバ心線１５を固定すると、温度・湿度の変化によるピストニング（光ファイバ心線１５の突き出し、凹み）を防止することができるという利点がある）。
【００３７】
尚、充填剤の屈折率は、フェルール材料（上記の合成樹脂材）の屈折率よりも大きく、且つ光ファイバ心線１５の開口角（開口数（Ｎ．Ａ．）とも言う。Ｎ．Ａ．：Numerical Aperture 。Ｎ．Ａ．はＮ．Ａ．＝ｓｉｎθmax  で定義される（θmax ：最大受光角））に相当する屈折率差を有するように選定されている（フェルール孔２０における上記間隙の壁面で光が反射し、上記間隙部分が導光路として機能する。レンズ設計が容易になるという利点もある）。
【００３８】
上記フェルール１１のフェルール先端部分１４は、凸レンズの機能を有している。すなわち、フェルール先端部分１４には、凸レンズ１４ａが一体に形成されている。凸レンズ１４ａは、本形態において、球面状に加工された凸レンズであって、光ファイバ心線１５からの出射光が平行光化し、且つ平行な入射光が光ファイバ心線１５に向けて集光するような形状に形成されている（図１中の波線は光路を示している）。このような凸レンズ１４ａは、心線案内部２０ａの最奥部２０ａ−１からの距離も含めて設計されている。
【００３９】
上記構成において、フェルール孔２０に上記図示しない充填剤を充填するとともに、そのフェルール孔２０に光ファイバ１２を差し込み、紫外線を照射して上記図示しない充填剤を硬化させると、光ファイバ１２の端末にフェルール１１が取り付けられる。そして、図３に示される如く、このように取り付けられたフェルール１１、１１同士を光結合部材２１の中空部２２内で対向配置させると、光ファイバ１２、１２同士の接続を図ることが可能な状態になる。
【００４０】
上記光結合部材２１は、本形態において、雄コネクタハウジング２１ａと雌コネクタハウジング２１ｂとを備えて構成されており（この構成に限定するものではないものとする。フェルール１１、１１同士を光軸を合わせた状態で対向配置することができればよいものとする）、図３に示されるような適宜嵌合構造を有するように形成されている。尚、引用符号２１ａ−１及び２１ｂ−１は、フェルール本体部分１３を案内する案内部を示している。フェルール１１、１１同士の光軸を合わせる部分、すなわち調心をする部分としては、中空部２２若しくは案内部２１ａ−１及び２１ｂ−１のいずれであってもよいものとする。
【００４１】
ここで、図４を参照しながらフェルール１１のレンズ効果を説明する。図４は軸ずれ特性を示すグラフである（コア径２００μｍの光ファイバを使用し、これに適した寸法でフェルール１１を製作した。そして、そのフェルール１１、１１同士を図３に示される如く対向配置して軸ずれ特性を得た）。尚、グラフ中の実線は、本発明に係るフェルール１１の軸ずれ特性を示している。また、波線は、凸レンズ１４ａ無しの状態の、すなわち従来のフェルールを使用した場合の軸ずれ特性を示している。
【００４２】
図４において、本発明に係るフェルール１１は、凸レンズ１４ａの効果によって出射光が平行光化されていることから、軸ずれ損失が小さく、５０μｍ以上の軸ずれにおいては、従来のフェルールを使用した場合の軸ずれ特性よりも接続損失が小さく抑えられている（比較的安価な樹脂成形による加工上、５０μｍを下回る軸ずれ量に加工するのは困難であり、実際にはこれ以上の軸ずれが発生している。従って、本発明に係るフェルール１１を使用する方がよいことが分かる）。
【００４３】
以上、図１ないし図４までを参照しながら説明してきたように、フェルール先端部分１４に凸レンズの機能を持たせていることから、従来に比べて部品点数の削減や生産性の向上や接続損失の低減を図ることができる。すなわち、本発明に係るフェルール１１は、レンズとフェルールとが一体になった構造であることから、従来のようなレンズを保持する部材や、レンズ及びフェルールの調心（光軸を合わせ）をする部材等を不要にすることができる。また、上述からも分かるように、本発明に係るフェルール１１を用いることにより、光ファイバ１２、１２同士の接続を図るまでの工程を従来よりも格段に簡素化することができる。さらに、本発明に係るフェルール１１を用いることにより、高い加工精度を要求する部分を従来に比べて削減することができる。
【００４４】
その他、フェルール孔２０ａの最奥部２０ａ−１と光ファイバ心線１５の先端との間に間隙を生じさせていることから、光ファイバとフェルールに対する高い加工精度を不要にして生産性の向上を図ることができる。また、形成された間隙に光学的に透明な充填剤（不図示）を充填し、その間隙を導光路として機能させていることから、接続損失の低減を図ることができる。さらに、充填剤を接着剤としていることから、光ファイバ心線１５の固定を同時に完了させることができる。さらにまた、充填剤としての接着剤の屈折率を上述のように選定していることから、導光路としての機能を向上させることができる。
【００４５】
尚、充填剤として上記ではＵＶ硬化接着剤を用いているが、これに替えて熱硬化性の透明ゲルと固定用接着剤とを用いてもよいものとする。透明ゲルは、例えば二液性のシリコーン樹脂のような硬化時の屈折率が明らかなものであり、心線案内部２０ａから例えばテーパ部２０ｅまでを充填するものとする。透明ゲルは、その屈折率が上記フェルール材料の屈折率よりも大きく、且つ光ファイバ心線１５の開口角に相当する屈折率差を有するものとする。透明ゲルは、充填剤を固化させた場合の温度変化や充填剤硬化時に生じるクラックの発生や間隙の発生を防止することができるという利点を有する。また、液体を充填剤として用いると封止に難があるのに対して、硬化性の透明ゲルでは流動性を抑えることができるという利点を有する。一方、固定用接着剤は、流し込みにより二次シース案内部２０ｃを充填するものとする（必要以上に内部に浸入しない粘度を有する）。具体的には、エポキシ系接着剤やエポキシ混合系接着剤等がある。ここでの透明ゲル及び固定用接着剤は、加熱オーブンにより熱硬化するものとする。
【００４６】
図５はフェルールの製造に係る説明図である。本発明に係るフェルール１１は、上述したように透明な合成樹脂材でその全体を成形してもよいが、生産性やコストの面に応じて線Ｌ１若しくは線Ｌ２で分割後付けするような構造に変更してもよいものとする。また、フェルール先端部分１４のみを透明な合成樹脂材で成形し、フェルール本体部分１３を安価な合成樹脂材で別途成形してもよいものとする。
【００４７】
その他、本発明は本発明の主旨を変えない範囲で種々変更実施可能なことは勿論である。尚、本発明は自動車においての光ファイバ同士の接続に限定するものではないものとする。すなわち、他の分野の光通信にも当然に適用することができるものとする。
【図面の簡単な説明】
【００４８】
【図１】本発明によるフェルールの一実施の形態を示す断面図である。
【図２】フェルールの外観斜視図である。
【図３】本発明による光結合構造の一実施の形態を示す断面図である。
【図４】軸ずれ特性を示すグラフである。
【図５】フェルールの製造に係る説明図である。
【図６】従来例の光結合構造を示す断面図である。
【符号の説明】
【００４９】
１１  フェルール
１２  光ファイバ
１３  フェルール本体部分
１４  フェルール先端部分
１４ａ  凸レンズ
１５  光ファイバ心線
１６  光ファイバ被覆
１７  一次シース
１８  二次シース
１９  フランジ
１９ａ  テーパ
２０  フェルール孔
２０ａ  心線案内部
２０ｂ  一次シース案内部
２０ｃ  二次シース案内部
２０ｄ、２０ｅ  テーパ部
２０ａ−１  最奥部
２１  光結合部材
２１ａ  雄コネクタハウジング
２１ｂ  雌コネクタハウジング
２１ａ−１、２１ｂ−１  案内部
２２  中空部
【図１】
2004177937.tif 000003
【図２】
2004177937.tif 000004
【図３】
2004177937.tif 000005
【図４】
2004177937.tif 000006
【図５】
2004177937.tif 000007
【図６】
2004177937.tif 000008